(57)【要約】【課題】電気掃除機の吸込具に設けられたローラーへの塵埃等の付着を抑制するようにした電気掃除機の吸込具を提供する。【解決手段】吸込具１０は、ローラー３１と、ローラー３１の軸方向の移動を規制する突起３２ａが形成され、ローラー３１を回転自在に保持する第１の軸３２と、第１の軸３２を保持する軸受け３４と、を備え、突起３２ａによってローラー３１の軸方向端面と軸受け３４を形成する部材の壁面との間に隙間（距離Ｂ）を設けている。【選択図】図５
2011194009.tif 000002
【特許請求の範囲】
【請求項１】
空気を吸い込む吸込口と走行支援する走行車輪を少なくとも有し、
前記走行車輪は、
ローラーと、
前記ローラーの軸方向の移動を規制する突起が形成され、前記ローラーを回転自在に保持する第１の軸と、
前記第１の軸を保持する軸受けと、を備え、
前記突起によって前記ローラーの軸方向端面と前記軸受けを形成する部材の壁面との間に隙間を設けている
ことを特徴とする電気掃除機の吸込具。
【請求項２】
前記軸受けの前記第１の軸の保持面と前記第１の軸の軸方向端面とが鉛直方向に重なるように前記軸受けの保持面の長さを設定している
ことを特徴とする請求項１に記載の電気掃除機の吸込具。
【請求項３】
空気を吸い込む吸込口と走行支援する走行車輪を少なくとも有し、
前記走行車輪は、
両端が支持された第１の軸と、
前記第１の軸が挿通され、回転自在な第２の軸と、
前記第２の軸の外周に取り付けられたローラーと、
前記第２の軸を保持し、前記第２の軸の軸方向端面を覆う軸受けと、を備え、
前記軸受けによって前記ローラーの軸方向端面と前記軸受けを形成する部材の壁面との間に隙間を設けている
ことを特徴とする電気掃除機の吸込具。
【請求項４】
前記軸受けの前記第２の軸の保持面と前記第２の軸の軸方向端面とが鉛直方向に重なるように前記軸受けの保持面の長さを設定している
ことを特徴とする請求項３に記載の電気掃除機の吸込具。
【請求項５】
前記ローラーと前記第２の軸を一体成型している
ことを特徴とする請求項３又は４に記載の電気掃除機の吸込具。
【請求項６】
前記ローラーの軸方向端面と前記軸受けを形成する部材の壁面との間にカバーを設けている
ことを特徴とする請求項１〜５のいずれか一項に記載の電気掃除機の吸込具。
【請求項７】
空気を吸い込む吸込口と走行支援する走行車輪を少なくとも有し、
前記走行車輪は、
ローラーと、
前記ローラーに設けられ、前記ローラーの軸方向の移動を規制する突起が先端に形成されるとともに、前記ローラーを回転自在に保持する第１の軸と、
前記突起部が嵌合され、前記第１の軸を保持する軸受けと、を備え、
前記突起によって前記ローラーの軸方向端面と前記軸受けを形成する部材の壁面との間に隙間を設けている
ことを特徴とする電気掃除機の吸込具。
【請求項８】
被清掃面と略垂直方向に設けられ、前記第１の軸を介して前記ローラーを支持するローラー支持軸を設け、
前記ローラーは、
前記ローラー支持軸の軸方向とは略直行する方向に一対設けられている
ことを特徴とする請求項７に記載の電気掃除機の吸込具。
【請求項９】
前記一対のローラーの間にカバーを設けている
ことを特徴とする請求項８に記載の電気掃除機の吸込具。
【請求項１０】
前記軸受けの一部を構成するふたを設けている
ことを特徴とする請求項１〜９のいずれか一項に記載の電気掃除機の吸込具。
【請求項１１】
前記ローラーの外周に起毛部材を巻き付けている
ことを特徴とする請求項１〜１０のいずれか一項に記載の電気掃除機の吸込具。
【請求項１２】
請求項１〜１１のいずれか一項に記載の吸込具を備えた
ことを特徴とする電気掃除機。
【発明の詳細な説明】
【技術分野】
【０００１】
本発明は、電気掃除機の吸込具及びその吸込具を備えた電気掃除機に関し、特に電気掃除機の吸込具に設けられた走行ローラーへの塵埃等の付着を抑制するようにした電気掃除機の吸込具及びその吸込具を備えた電気掃除機に関するものである。
【背景技術】
【０００２】
近年、電気掃除機の吸込具には、前後方向の摺動性を確保するために、形状や材質等さまざまな走行ローラーが設置されている。このような走行ローラーを備えた電気掃除機を使用していると、床面や絨毯等の被清掃面に存在している細かいゴミ・塵埃や毛髪、ペットの毛等（以下、単に塵埃と称する）が、走行ローラーと吸込具のケースとの間に挟み込まれて圧縮され、除去が困難になってしまうことがあった。そこで、このような事態を回避する技術が種々提案されている。
【０００３】
そのようなものとして、「上ケース及び下ケースを有する床用吸込具内に、車輪と回転自在に軸支された回転ブラシを備えた床用吸込具において、該回転ブラシを該車輪の後方に接触するように配置する電気掃除機の床用吸込具」が提案されている（たとえば、特許文献１参照）。この床用吸込具は、掃除機の床用吸込具を前後移動して使用する度に、回転ブラシのブレードの先端が前車輪の後方に接触しながら回転するので、静電植毛やフェルト等に付着した塵埃を除去し、車輪に留まらず前車輪の車軸に絡まり車輪が動かなくなるような事態を回避できるようにしている。
【０００４】
また、「掃除機本体に収容された電動送風機の吸込側に連通する電気掃除機の吸込口体であって、吸込口を備えたケース体と、被掃除面に接地可能に前記ケース体に設けられ、このケース体の進退方向に沿ってそれぞれ設けられた複数の起毛布を備えた接地部とを具備し、前記接地部は、前記ケース体の進行方向に対応するいずれかの前記起毛布が選択的に被掃除面に接地する電気掃除機の吸込口体」が提案されている（たとえば、特許文献２参照）。この吸込口体は、シーソー式車輪が回転しないことで、塵挨が揺動軸などに絡み付くこともなく、シーソー式車輪がロックして揺動しなくなることもないので、床ブラシの良好な操作性を確保できるとともに、絡み付いた塵挨を作業者が手で除去する必要がないので、良好なメンテナンス性を確保できるようにしている。
【先行技術文献】
【特許文献】
【０００５】
【特許文献１】特開２００２−２６３０３８号公報（第２、３頁、第３図等）
【特許文献２】特開２００６−１３６５０２号公報（第４、７頁、第２図等）
【発明の概要】
【発明が解決しようとする課題】
【０００６】
しかしながら、上記特許文献１に記載されている技術では、回転ブラシが回転する際に、走行ローラーに接触してしまうと、回転力が低下してしまい、基本性能である吸込み性能を悪化させてしまうという課題があった。また、十分な回転力を確保するために、高出力のモーターが必要になるため、省エネではないという課題もあった。
【０００７】
上記特許文献２に記載されている技術では、シーソー式の車輪が回転しないため、吸込み具の摺動性が低下してしまうという課題があった。
【０００８】
本発明は、上記のような課題を解決するためになされたもので、電気掃除機の吸込具に設けられたローラーへの塵埃等の付着を抑制するようにした電気掃除機の吸込具及びその吸込具を備えた電気掃除機を提供することを目的とする。
【課題を解決するための手段】
【０００９】
本発明に係る電気掃除機の吸込具は、空気を吸い込む吸込口と走行支援する走行車輪を少なくとも有し、前記走行車輪は、ローラーと、前記ローラーの軸方向の移動を規制する突起が形成され、前記ローラーを回転自在に保持する第１の軸と、前記第１の軸を保持する軸受けと、を備え、前記突起によって前記ローラーの軸方向端面と前記軸受けを形成する部材の壁面との間に隙間を設けていることを特徴とする。
【００１０】
本発明に係る電気掃除機の吸込具は、空気を吸い込む吸込口と走行支援する走行車輪を少なくとも有し、前記走行車輪は、両端が支持された第１の軸と、前記第１の軸が挿通され、回転自在な第２の軸と、前記第２の軸の外周に取り付けられたローラーと、前記第２の軸を保持し、前記第２の軸の軸方向端面を覆う軸受けと、を備え、前記軸受けによって前記ローラーの軸方向端面と前記軸受けを形成する部材の壁面との間に隙間を設けていることを特徴とする。
【００１１】
本発明に係る電気掃除機の吸込具は、空気を吸い込む吸込口と走行支援する走行車輪を少なくとも有し、前記走行車輪は、ローラー軸を備えたローラーと、被清掃面と略垂直方向に設けられ、前記ローラー軸が嵌合されるローラー軸受けが形成され、前記ローラーを回転自在に保持する第１の軸と、前記第１の軸の上端部を保持する軸受けと、を備え、前記ローラー軸受けによって前記ローラーのローラー軸方向端面と前記軸受けを形成する部材の壁面との間に隙間を設けていることを特徴とする。
【００１２】
本発明に係る電気掃除機は、上記の電気掃除機の吸込具を備えたことを特徴とする。
【発明の効果】
【００１３】
本発明に係る電気掃除機の吸込具によれば、第１の軸まで塵埃を到達させないことが可能なので、走行性を低減することなく、メンテナンス性の向上を図ることができる。
また、本発明に係る電気掃除機によれば、上記の電気掃除機の吸込具を備えているので、使い勝手の向上したものとなる。
【図面の簡単な説明】
【００１４】
【図１】本発明の実施の形態１に係る電気掃除機の全体構成を示す概略側面図である。
【図２】本発明の実施の形態１に係る吸込具を斜め上方から見た状態を拡大して示した拡大斜視図である。
【図３】本発明の実施の形態１に係る吸込具を斜め下方から見た状態を拡大して示した拡大斜視図である。
【図４】図３のＡ断面構成の一例を示す縦断面図である。
【図５】図３のＡ断面構成の他の一例を示す縦断面図である。
【図６】本発明の実施の形態２に係る吸込具を斜め下方から見た状態を拡大して示した拡大斜視図である。
【図７】本発明の実施の形態２に係る吸込具の走行車輪の断面を走行車輪周辺とともに示した拡大概略図である。
【発明を実施するための形態】
【００１５】
以下、本発明の実施の形態を図面に基づいて説明する。
実施の形態１．
図１は、本発明の実施の形態１に係る電気掃除機１００の全体構成を示す概略側面図である。図１に基づいて、電気掃除機１００の構成及び動作について説明する。なお、図１を含め、以下の図面では各構成部材の大きさの関係が実際のものとは異なる場合がある。また、図１では、掃除機本体１０１の内部の一部を透視して図示している。
【００１６】
実施の形態１に係る電気掃除機１００は、床面や絨毯等の被清掃面に存在している塵埃を電気掃除機吸込具（以下、単に吸込具と称する）１０を介して掃除機本体１０１内部に吸い込むものである。この電気掃除機１００は、図１に示すように、掃除機本体１０１と、ホース１０２と、手元ハンドル部１０３と、アタッチメント本体部１０４と、延長管１０５と、吸込具１０と、で構成されている。
【００１７】
掃除機本体１０１は、塵埃を吸い込む吸引力を発生する電動送風機１１０や吸い込んだ塵埃を回収する集塵部１１１、電気掃除機１００の動作を統括制御する制御回路（図示省略）、吸い込んだ塵埃を捕集する集塵フィルタ（図示省略）等が内蔵されるものである。ホース１０２は、掃除機本体１０１の吸込口部に一端側が着脱自在に接続されるものである。手元ハンドル部１０３は、ホース１０２の他端側に接続され、使用者が手に持って電気掃除機１００を実際に操作するものである。この手元ハンドル部１０３には、図示省略のスイッチ操作部が設けられている。なお、手元ハンドル部１０３には、延長管１０５を取り外すためのトリガー１０６が設けられている。
【００１８】
アタッチメント本体部１０４は、手元ハンドル部１０３の先端部（吸込具１０側の先端部）に分岐状に設けられており、隙間用ノズル等としての機能を有している。延長管１０５は、一端側が手元ハンドル部１０３の他方の分岐接続口部に図示しない開閉弁を介して接続され、他端側が図３で示す継手管２０を介して吸込具１０に接続されるものである。吸込具１０は、延長管１０５の他端側が接続され、被清掃面の塵埃を掃除機本体１０１内に吸い込み際の入口として機能するものである。
【００１９】
なお、図１では、手元ハンドル部１０３にアタッチメント本体部１０４を設けている状態を例に示しているが、アタッチメント本体部１０４を必ずしも設けなくてもよい。つまり、通常用いられている形態の延長管のみを手元ハンドル部１０３に着脱自在に接続できる構成であってもよい。また、延長管１０５は、パイプが伸び縮みする伸縮式又は複数のパイプを繋いでいく継ぎパイプ式のいずれでも構わない。
【００２０】
ここで、電気掃除機１００の動作について簡単に説明する。
電気掃除機１００は、掃除機本体１０１に備えられている図示省略の電源コードが商用電源に接続され、手元ハンドル部１０３に設けられている図示省略の電源スイッチがオンされ、電動送風機１１０が駆動されることによって掃除動作を開始する。電動送風機１１０が駆動されると、掃除機本体１０１内に塵埃を吸引するための吸引力が発生する。これにより、被清掃面にある塵埃が空気とともに吸込具１０から吸引される。吸込具１０から吸引された塵埃及び空気は、延長管１０５、アタッチメント本体部１０４、手元ハンドル部１０３、及び、ホース１０２を経由し、掃除機本体１０１に吸い込まれる。
【００２１】
掃除機本体１０１内では、掃除機本体１０１内に空気とともに吸い込まれた塵埃のうち粒径が比較的大きな粗大な塵埃が上流側に設けられている集塵部１１１で空気と分離して回収され、集塵部１１１を通過した微細な塵埃が下流側に設けられている図示省略の集塵フィルタで更に空気と分離して捕集されるようになっている。集塵部１１１及び集塵フィルタを通過した空気は、塵埃が取り除かれ、清浄な空気となって、電動送風機１１０を経由し、掃除機本体１０１の後方側から排出されるようになっている。
【００２２】
図２は、吸込具１０を斜め上方から見た状態を拡大して示した拡大斜視図である。図３は、吸込具１０を斜め下方から見た状態を拡大して示した拡大斜視図である。図４は、図３のＡ断面構成の一例を示す縦断面図である。図５は、図３のＡ断面構成の他の一例を示す縦断面図である。図２〜図５に基づいて、実施の形態１の特徴事項である吸込具１０について詳細に説明する。なお、図４及び図５には、図３のＡ断面、つまり走行車輪３０の概略断面を、吸込具１０の走行車輪周辺とともに拡大して示している。
【００２３】
この吸込具１０は、下ケース１１の一部を上ケース１２が覆い外形が構成されている。下ケース１１及び上ケース１２の内部には回転ブラシ１３を回転自在に収納する吸込室１４が形成されている。この吸込室１４は、横長の風路を形成している。つまり、吸込室１４に形成される風路は、空気の吸込方向に対して略直行する方向である幅が広くなっている。吸込室１４に収納される回転ブラシ１３は、吸込具１０に内蔵されたモーター１５（又はタービン）によって回転駆動される。モーター１５の駆動力がたとえばベルト等を介して回転ブラシ１３に伝達され、回転ブラシ１３が所定方向に回転するようになっている。なお、モーター１５は、図３に示される部位に内蔵されている。
【００２４】
また、吸込室１４は、底部に開口部が、前面側（すなわち、吸込具１０の前面側、延長管１０５との接続部分とは反対側）の下部に比較的変形し易い軟質材（たとえば、エラストマーや塩化ビニール等）を用いたバッファ部１６が、後面側（すなわち、吸込具１０の後面側、延長管１０５との接続部分側）には延長管１０５と連通する吸込口１７が、それぞれ形成されている。  
【００２５】
吸込具１０の底部側であって回転ブラシ１３よりも後面側には、車輪１８が設けられている。この車輪１８は、図示省略の支持部材によって回動自在に構成されている。この支持部材は、吸込具１０が被清掃面から浮いている状態においては車輪１８を被清掃面側に突起した状態にし、吸込具１０が着床した状態においては車輪１８を吸込具１０の内側に引っ込める。また、吸込具１０には、車輪１８が吸込具１０の内側に引っ込んだ状態においてスイッチオンされるスイッチ（図示せず）が内蔵されている。このスイッチがスイッチオンされることにより、掃除機本体１０１が駆動可能な状態になる。
【００２６】
また、吸込具１０の底部側であって車輪１８の継手管２０側には、吸込具１０の走行支援をする１対の走行車輪３０が回動自在に取り付けられている。この走行車輪３０は、着床状態の吸込具１０を支持するものである。さらに、吸込具１０の底部前面側であって回転ブラシ１３の両側には、滑り台２１が取り付けられている。この滑り台２１は、走行車輪３０とともに、着床状態の吸込具１０を支持するものである。
【００２７】
図４に示すように、走行車輪３０は、円柱型のローラー３１と、ローラー３１と一体に成型され、ローラー３１と同心軸かつ軸方向に長く、中空の第２の軸３３と、ローラー３１及び第２の軸３３に挿通され、ローラー３１と同心軸かつ軸方向に長い第１の軸３２と、で構成されている。ローラー３１は、第２の軸３３の外周に取り付けられているのである。ローラー３１と第２の軸３３は、インサート成型等で一体に成型するとよい。ローラー３１及び第２の軸３３は、エラストマーゴムや樹脂材料等を材料に用いるとよい。このローラー３１の軸方向の略中央部分には、くぼみ３５が形成されている。このくぼみ３５の軸方向左右側におけるローラー３１の外周には、被清掃面との振動や音、傷つきを抑える起毛部材３６が巻かれている。
【００２８】
第１の軸３２は、ローラー３１と同心軸でローラー３１の穴径より小さい外径を有し、ローラー３１に第２の軸３３を介して貫通している。この第１の軸３２は、下ケース１１（詳しくは下ケース１１とふた４１とで形成される軸受け３４）に嵌め込まれて支持（たとえば、固定設置）されており、ローラー３１が回転自在に保持されるようになっている。また、下ケース１１のローラー３１が嵌め込まれた部分には、下ケース１１の一部を構成するふた４１が着脱自在に取り付けられるようになっている。
【００２９】
ふた４１は、開口部３７と、第１の凸部３８と、第２の凸部３９と、を有している。図４に示す縦断面構成から、第１の凸部３８と第２の凸部３９とは、段差を有するように形成されている。ローラー３１は、開口部３７の下側から突出し、被清掃面と接するように設置されている。そして、ローラー３１と開口部３７との隙間（詳しくは起毛部材３６と第１の凸部３８との隙間）には、この隙間を埋めるようにゴムやエラストマー等の軟質材から成るカバー４０が設置されている。なお、ふた４１には、図示省略の爪が形成されており、使用者が自在に取り外しできるようになっている。
【００３０】
第２の凸部３９は、下ケース１１の一部とともに軸受け３４を構成し、第２の軸３３を回転自在に保持するようになっている。したがって、軸受け３４は、第２の軸３３とは周方向、軸方向ともに一定の空間を保有する。また、第２の軸３３と軸受け３４との距離Ａは、最大でもローラー３１が回転自在に保持できる最小限の寸法にとどめてあるので、第２の軸３３の軸方向の移動をほとんどないものにしている。
【００３１】
ローラー３１の軸方向端面から第１の凸部３８までの距離Ｂ（隙間）、つまり開口部３７のローラー３１の突出部分以外における軸方向距離は、距離Ａが０になったとき（第２の軸３３が第２の凸部３９に接触しているとき）でも０になることはないように設計されている。つまり、距離Ａ＜距離Ｂであるため、開口部３７が常に開口されるようになっており、第１の凸部３８とローラー３１とが常に接することはない。更に言えば、軸受け３４を形成する第１の凸部３８の長さによって、ローラー３１の軸方向端面と軸受け３４を形成する部材（下ケース１１及びふた４１）の壁面との間に隙間を設け、これらが接触しないようになっている。
【００３２】
また、第２の凸部３９の軸方向間距離（第２の凸部３９の水平方向長さ）Ｃを、距離Ａより大きく設計している。したがって、第２の軸３３の端面は、軸受け３４で常に覆われ、第２の軸３３が開口部３７の範囲に移動することはなく、下面からむき出しになることがない。
【００３３】
吸込具１０の動作について説明する。
掃除機本体１０１が動作を開始すると、吸込具１０の吸込室１４の開口部を介して空気が吸引される。この空気は、吸込室１４及び吸込口１７を介して延長管１０５、ホース１０２を流れ、掃除機本体１０１に吸引される。このとき、吸込具１０では、回転ブラシ１３が回転し、その回転によって掻き上げられた塵埃も空気とともに掃除機本体１０１側に吸引される。また、吸込具１０の動作によって走行車輪３０も回転し、軸方向に移動しながら、塵埃を掻きあげる。
【００３４】
小さい塵埃や短い塵埃は、カバー４０によって従来の電機掃除機の吸込具のように第１の軸３２の付近まで入り込むことがない。つまり、カバー４０が塵埃の進入を阻止する機能を果たしているのである。また、万が一、第１の軸３２の付近まで塵埃が進入したとしても、距離Ｂが確保されているため、ローラー３１が第１の凸部３８に接することがない。したがって、ローラー３１と第１の凸部３８との間に塵埃を挟み込んで保持してしまうことがない。さらに、距離Ｃが確保されているので、第２の軸３３の軸方向端面と第１の凸部３８が必ず延長方向に重なり軸受け３４に覆われることになり、第１の軸３２が被清掃面に対し開放されることがない。したがって、第１の軸３２への塵埃の進入を効果的に阻止することができる。
【００３５】
また、髪の毛や長めのペットの毛等の長尺ゴミも、同様にカバー４０に進入を阻止され、万が一巻き付いたとしても、ローラー３１の中心のくぼみ３５に巻きつくので、除去しやすい。さらに、ふた４１も、取り外しが可能なので、走行車輪３０を取り外して洗うこともできる。
【００３６】
カバー４０は、ふた３３と一体の樹脂部品として構成されてもよい。その場合は、第１の凸部３８からの軸方向の長さは距離Ｂよりも短いものとなる。そうなると、カバー４０とローラー３１との間に隙間が発生する。しかしながら、距離Ｃが確保されていることにより、第１の軸３２が開放されることがない。したがって、このような場合でも、第１の軸３２まで塵埃が到達することはない。
【００３７】
以上のように、実施の形態１に係る吸込具１０及び電気掃除機１００によれば、距離Ａ、距離Ｂ、及び、距離Ｃの関係と、カバー４０と、によって、第１の軸３２まで塵埃を到達させないことを可能にしている。したがって、実施の形態１によれば、吸込具１０及び電気掃除機１００は、走行性を低減することなく、メンテナンスも低減されるので使い勝手の向上したものとなる。また、万が一、塵埃が第１の軸３２に到達しても、着脱自在なふた４１により、除去、洗浄が容易に可能なので、吸込具１０を衛生的に保つことができる。
【００３８】
また、図５に示すように、走行車輪３０を第１の軸３２とローラー３１のみで構成してもよい。この場合、第１の軸３２を、下ケース１１とふた４１とで構成される軸受け３４に固定設置する。そして、ローラー３１を、第１の軸３２のまわりを回転自在に保持する。ただし、軸方向の移動がないように、第１の軸３２のたとえば中心部には周方向の突起３２ａを設け、距離Ｂが０にならないようにしている。つまり、突起３２ａを設けることで、ローラー３１の軸方向の移動を規制し、ローラー３１と、ふた４１及び下ケース１１が接触しないようにしている。このようにすることで、部品点数を少なくしても、同様の効果を得ることができる。
【００３９】
実施の形態２．
図６は、本発明の実施の形態２に係る吸込具１０Ａを斜め下方から見た状態を拡大して示した拡大斜視図である。図７は、吸込具１０Ａの走行車輪３０Ａの断面を走行車輪周辺とともに示した拡大概略図である。図６及び図７に基づいて、実施の形態２の特徴事項である吸込具１０Ａについて詳細に説明する。なお、この実施の形態２では上述した実施の形態１との相違点を中心に説明するものとし、実施の形態１と同一部分には、同一符号を付して説明を省略するものとする。
【００４０】
実施の形態１では、１つの走行車輪３０に対して１つのローラー３１を備えている場合を例に示したが、実施の形態２では、１つの走行車輪３０Ａに対して２つのローラー３１Ａを備えるようにした場合を例に説明する。つまり、走行車輪３０Ａは、分割されたローラー３１Ａを組み合わせた構造となっている。実施の形態２に係る吸込具１０Ａでは、ローラー支持軸４２を被清掃面に対し略垂直方向に設けるようにしたので、ローラー３１Ａをローラー支持軸４２を中心として左右に設置した構造としている。
【００４１】
図７に示すように、ローラー３１Ａは、略中心部にローラー軸（第１の軸）３２Ａを有し、このローラー軸３２Ａがローラー支持軸４２に設けられたローラー軸受け（軸受け）３４Ａに所定の空間を有するように嵌合されるようになっている。ローラー軸３２Ａには、軸方向の移動がないように、ローラー軸３２Ａのたとえば先端部には周方向の突起３２ａ−１を設けるようにしている。つまり、突起３２ａ−１を設けることで、ローラー３１Ａの軸方向の移動を規制し、ローラー３１Ａと、ふた４１Ａ及び下ケース１１Ａが接触しないようにしている。このようにすることで、部品点数を少なくしても、同様の効果を得ることができる。
【００４２】
ローラー軸受け３４Ａは、ローラー支持軸４２の軸方向とは略直行する方向における位置に一対形成されている。したがって、ローラー３１Ａは、ローラー支持軸４２の左右にそれぞれ１つずつ設けられ、ローラー軸３２Ａとローラー軸受け３４Ａとによって回転自在かつローラー支持軸４２に対して略直行する方向に移動可能なようになっている。また、２つのローラー３１Ａの間には、開口部３７Ａが形成されるように、ローラー３１Ａの外周の長さ（テーパー４４からローラー３１Ａのローラー支持軸４２側の面に至るまでの長さ）が定められている。
【００４３】
ローラー支持軸４２は、下ケース１１Ａとふた４１Ａの間に構成される軸受け４３にて上部先端部が固定保持されている。つまり、ローラー支持軸４２は、その上部先端部に設けた係止部を下ケース１１Ａの一部に形成した凹部とふた４１Ａの一部に形成した凹部とを組み合わせた軸受け４３に嵌合するように係止されて固定保持されるようになっている。ふた４１Ａは、実施の形態１で説明したふた４１とは異なり、下ケース１１Ａの一部の側面（一方のローラー３１Ａのローラー軸形成面とは反対側面）を覆い、下ケース１１Ａの一部を構成するようになっている。また、下ケース１１Ａも、実施の形態１で説明した下ケース１１とは異なり、ふた４１Ａが着脱可能なように側面の一部が開放されている。
【００４４】
ローラー３１Ａの外周には、被清掃面との振動や音、傷つきを抑える起毛部材３６が巻かれ、その端面にはテーパー４４が設けられている。つまり、テーパー４４は、起毛部材３６の設置面（ローラー３１Ａの外周面）とローラー軸形成面とは反対側面との接続端面に形成されている。開口部３７Ａには、この開口部３７Ａを閉塞するように２つのローラー３１Ａからゴムやエラストマー等の軟質材から成るカバー４０が設置されている。またふた４１Ａには、図示省略の爪が形成されており、使用者が自在に取り外しができるようになっている。
【００４５】
ローラー支持軸４２のローラー軸受け形成面とローラー３１Ａのローラー支持軸４２側の面との距離Ａは、最短のとき（ローラー３１Ａが軸中心から最も遠い側に寄っているとき）でも０とならないように確保されている。また、ローラー支持軸４２の係止部と軸受け４３との接続部分の表面と、ローラー３１Ａのローラー支持軸４２側の面と、の距離Ｂ、及び、ローラー支持軸４２のローラー軸受け形成面とローラー３１Ａのローラー軸形成面との距離Ｃは、最短のとき（ローラー３１Ａが軸中心から最も接近しているとき）でも０とならないように確保されている。したがって、ローラー３１Ａとローラー支持軸４２とは、ローラー軸３２Ａ及びローラー軸受け３４Ａ以外の部分で接することはない。
【００４６】
さらに、ローラー３１Ａと下ケース１１Ａまたはふた４１Ａとの距離Ｄ（隙間）は、最短のとき（ローラー３１Ａが下ケース１１Ａ側又はふた４１Ａ側に最も寄っているとき）でも０とならないように確保されている。つまり、ローラー軸受け３４Ａによって、ローラー３１Ａの軸方向端面と軸受け４３を形成する部材（下ケース１１Ａ及びふた４１Ａ）の壁面との間に隙間（距離Ｄ）を設け、これらが接触しないようになっている。したがって、ローラー３１Ａと、下ケース１１Ａ及びふた４１Ａとが、接することはない。
【００４７】
吸込具１０Ａの動作について説明する。
掃除機本体１０１が動作を開始すると、吸込具１０Ａの吸込室１４の開口部を介して空気が吸引される。この空気は、吸込室１４及び吸込口１７を介して延長管１０５、ホース１０２を流れ、掃除機本体１０１に吸引される。このとき、吸込具１０Ａでは、回転ブラシ１３が回転し、その回転によって掻き上げられた塵埃も空気とともに掃除機本体１０１側に吸引される。また、吸込具１０Ａの動作によって走行車輪３０Ａも回転し、軸方向（ローラー軸方向）に移動しながら、塵埃を掻きあげる。
【００４８】
吸込具１０Ａのローラー支持軸４２は、被清掃面に対し、直接面していないので、走行車輪３０Ａによって掻き上げられた塵埃がローラー支持軸４２の付近まで入り込むことがない。したがって、ローラー支持軸４２部分に塵埃が絡みついてしまうことを防止することができる。また、万が一、ローラー支持軸４２の付近まで塵埃が進入したとしても、距離Ｄが確保されているため、ローラー３１Ａがふた４１Ａ及び下ケース１１Ａに接することがない。したがって、ローラー３１Ａとふた４１Ａ及び下ケース１１Ａとの間に塵埃を挟み込んで保持してしまうことがない。
【００４９】
ローラー支持軸４２の付近まで塵埃が侵入したとしても、カバー４０でローラー軸３２Ａ付近への塵埃の侵入を阻止する。つまり、カバー４０は、ローラー軸３２Ａ周辺への塵埃の進入を阻止するという機能を有している。万が一、カバー４０を超えて塵埃が進入したとしても、距離Ｂが確保されているため、２つのローラー３１Ａによって、塵埃を挟みこんで保持するようなことがない。
【００５０】
また、距離Ａが確保されているので、ローラー支持軸４２とローラー３１Ａとが必ず重なりローラー軸３２Ａが被清掃面に対し開放されることがない。したがって、ローラー軸３２Ａへの塵埃の進入を阻止することができる。
【００５１】
さらに、万が一、ローラー支持軸４２とローラー３１Ａとの嵌合部に塵埃が進入したとしても、距離Ｃが確保されているので、ローラー３１Ａがローラー支持軸４２に接することがない。したがって、ローラー３１Ａとローラー支持軸４２との間に、塵埃を挟み込んで保持するようなことがない。この距離Ｃにより、ローラー３１Ａとふた４１Ａまたは下ケース１１Ａとは、接することがないので、テーパー４４によりローラー３１Ａの外側に塵埃が移動しても、ローラー３１Ａとふた４１Ａ又は下ケース１１Ａとの間に塵埃等が保持されることはない。
【００５２】
また、髪の毛や長めのペットの毛等の長尺ゴミも、同様にカバー４０に進入を阻止され、万が一巻き付いたとしても、ローラー３１Ａのテーパー４４によって、ローラー３１Ａの外部へ移動するのでローラー３１Ａに巻きつきにくい。さらに、ふた３３も、取り外しが可能なので、走行車輪３０Ａを取り外して洗うこともできる。
【００５３】
以上のように、実施の形態２に係る吸込具１０Ａ及び電気掃除機によれば、走行車輪３０Ａの構造と、距離Ａ、距離Ｂ、距離Ｃ及び距離Ｄの関係と、カバー４０と、によって、ローラー支持軸４２及びローラー軸３２Ａまで塵埃を到達させず、対向する２平面（ローラー３１Ａとふた４１Ａ又は下ケース１１Ａとの間）で塵埃を挟み込むことがない。したがって、実施の形態２によれば、吸込具１０Ａ及び電気掃除機は、走行性を低減することなく、メンテナンスも低減されるので使い勝手の向上したものとなる。また、万が一、塵埃がローラー支持軸４２及びローラー軸３２Ａに到達しても、着脱自在なふた４１Ａにより、除去、洗浄が容易に可能なので、吸込具１０Ａを衛生的に保つことができる。
【００５４】
以上、本発明を実施の形態を分けて説明したが、塵埃が第１の軸及び／又はローラー軸に付着することなく、万が一付着した場合にもメンテナンスが容易に可能であるため、衛生的な吸込具及び電気掃除機として広く利用することができる。すなわち、本発明は、図示した電気掃除機に限らず、他の構造の電気掃除機にも広く適用することができる。
【符号の説明】
【００５５】
１０  吸込具、１０Ａ  吸込具、１１  下ケース、１１Ａ  下ケース、１２  上ケース、１３  回転ブラシ、１４  吸込室、１５  モーター、１６  バッファ部、１７  吸込口、１８  車輪、２０  継手管、２１  滑り台、３０  走行車輪、３０Ａ  走行車輪、３１  ローラー、３１Ａ  ローラー、３２  第１の軸、３２Ａ  ローラー軸、３２ａ  突起、３２ａ−１  突起、３３  第２の軸、３４  軸受け、３４Ａ  ローラー軸受け、３５  くぼみ、３６  起毛部材、３７  開口部、３７Ａ  開口部、３８  第１の凸部、３９  第２の凸部、４０  カバー、４１  ふた、４１Ａ  ふた、４２  ローラー支持軸、４３  軸受け、４４  テーパー、１００  電気掃除機、１０１  掃除機本体、１０２  ホース、１０３  手元ハンドル部、１０４  アタッチメント本体部、１０５  延長管、１０６  トリガー、１１０  電動送風機、１１１  集塵部。
【図１】
2011194009.tif 000003
【図２】
2011194009.tif 000004
【図３】
2011194009.tif 000005
【図４】
2011194009.tif 000006
【図５】
2011194009.tif 000007
【図６】
2011194009.tif 000008
【図７】
2011194009.tif 000009